(57)【要約】【課題】金種や真贋が曖昧な紙幣を還流して再識別を行うことで、計数作業の効率の向上を図った紙幣計数機を提供する。【解決手段】紙幣計数機１は、ホッパ２と分離部３と搬送部４と識別部５とポケット６−１〜６−４及びリジェクトポケット６−５とガイド部７−１〜７−５とダイバータ８−１〜８−５と還流部９と制御部１０とを備える。還流部９は、搬送部４の最下流に達した紙幣Ｐを、搬送部４の上流に戻す部位である。制御部１０は、識別部５が、紙幣Ｐが所望券であるか否かを識別したときに、紙幣Ｐを金種に対応したポケット６−１〜６−４に集積させ、不用券である場合には、リジェクトポケット６−５に集積させる制御を行う。また、制御部１０は、識別部５が、紙幣Ｐが所望券であるか否かの識別をできない場合に、全ダイバータ８−１〜８−５を開放し、還流部９を用いて、紙幣Ｐを再度搬送部４に戻す制御を行う。【選択図】図１
2009070252.tif 000002
【特許請求の範囲】
【請求項１】
複数の紙幣を装填するためのホッパと、
上記ホッパに装填された紙幣を１枚ずつ分離して送り出すための分離部と、
上記分離部から送り出された紙幣を保持し、上流側から下流側に向かって搬送するための搬送部と、
上記搬送部の上流側に配設され、搬送されてきた紙幣が所望券であるか否かを識別するための識別部と、
上記搬送部の下流側に紙幣の搬送方向に沿って並設された所望券集積用のポケット及び不用券集積用のリジェクトポケットと、
上記搬送部と上記所望券集積用のポケットとの間、及び上記搬送部と上記不用券集積用のリジェクトポケットの間にそれぞれ配設され、送り込まれた紙幣を上記所望券集積用のポケット，上記不用券集積用のリジェクトポケットにそれぞれ案内する複数のガイド部と、
上記各ガイド部の入り口側近傍に、上記搬送部の搬送路に対して開閉自在にそれぞれ配設され、閉時に、上記搬送部の搬送路を遮って、紙幣を当該各ガイド部側に送り出す複数のゲート部と、
上記識別部が、紙幣が所望券であるとの識別結果を得た場合に、上記所望券集積用のポケットに案内する上記ガイド部の入り口側近傍に配設された上記ゲート部のみを閉状態にして、当該紙幣を上記ポケットに集積させ、また、上記識別部が、紙幣が所望券でないとの識別結果を得た場合に、上記不用券集積用のリジェクトポケットに案内する上記ガイド部の入り口側近傍に配設された上記ゲート部のみを閉状態にして、当該紙幣を上記リジェクトポケットに集積させる制御部と
を備える紙幣計数機であって、
上記搬送部の最下流に達した紙幣を、当該搬送部の上流に戻す還流部を設け、
上記制御部に、上記識別部が、紙幣が所望券であるか否かの識別結果を得られない場合に、上記分離部の動作を停止させると共に、上記複数のゲート部の全てを開状態にさせて当該紙幣が通る上記搬送部の搬送路を開放することにより、当該紙幣を上記還流部に送り込む還流機能を持たせた、
ことを特徴とする紙幣計数機。
【請求項２】
請求項１に記載の紙幣計数機において、
上記制御部の還流機能は、上記識別部において所望券であるか否かの識別結果を得られない同一の紙幣に対して、指定回数だけ上記搬送部の搬送路を開放した後、上記不用券集積用のリジェクトポケットに案内する上記ガイド部の入り口側近傍に配設された上記ゲート部のみを閉状態にして、当該紙幣を上記リジェクトポケットに集積させる、
ことを特徴とする紙幣計数機。
【請求項３】
請求項２に記載の紙幣計数機において、
搬送部を、駆動無端ベルトと、この駆動無端ベルトの外側から当接して従動回転する従動無端ベルトと、当該駆動無端ベルトの部位であって且つ上記従動無端ベルトが非当接な部位に外側から所定間隔で接触配設された複数のローラとで構成し、上記駆動無端ベルトと従動無端ベルトとの当接部位を搬送部の上流側とすると共に非当接部位を下流側に設定して、上記分離部から送り出された紙幣を、これら駆動無端ベルトと従動無端ベルトとが当接した最上流位置で挟み込み、当該紙幣を駆動無端ベルトの回転方向に搬送するようにし、
上記ポケットとガイド部とゲート部との組及びリジェクトポケットとガイド部とゲート部との組とを、上記搬送部の上記下流側に、搬送方向に沿って配設し、
上記還流部を、最下流の上記ゲート部より下流の駆動無端ベルトの部位と、当該部位の外側に平行に配設され且つ当該部位上の紙幣を上記搬送部の上流に案内するガイド板とで構成した、
ことを特徴とする紙幣計数機。
【発明の詳細な説明】
【技術分野】
【０００１】
この発明は、各種紙幣を分離すると共にその枚数を計数する紙幣計数機に関するものである。
【背景技術】
【０００２】
従来、この種の紙幣計数機は、各金種を混在させた複数枚の紙幣をホッパに収納して、駆動すると、ホッパから取り出された各紙幣が１対のベルトで挟まれた状態で搬送される。そして、各紙幣は、搬送途中でセンサによりその種類や真贋が判定され、紙幣が金種に対応したポケットに収納される。また、所定の紙幣でないと判定された場合には、リジェクトポケットに排出されるようになっている（例えば特許文献１及び特許文献２参照）。
【０００３】
【特許文献１】特開平１１−１４４１２０号公報
【特許文献２】特開２００３−２２３６６２号公報
【発明の開示】
【発明が解決しようとする課題】
【０００４】
しかし、上記した従来の紙幣計数機では、次のような問題がある。
予め設定された枚数に達したときに、紙幣の計数動作を停止するような場合には、停止以前にベルト側に取り込まれた紙幣がベルトに挟まれた状態で取り残される。
かかる状態で、再始動させると、当該取り残された紙幣の金種や真贋が正確に判定されず、所定の真券であるにも拘わらず、リジェクトポケットに排出されてしまうおそれがあった。
また、従来の紙幣計数機では、それが真券であっても、紙幣に傷や汚れがあって、金種や真贋が正確に判定できず、曖昧な場合には、それらの紙幣は、全てリジェクトポケットに排出されるおそれがあった。
このように、従来の紙幣計数機では、判定が曖昧な場合には、真券であるにも拘わらず、一律にリジェクトポケットに排出されるおそれがある。このため、一度計数動作を行った後、ユーザがリジェクトポケット内の紙幣を取り出して、ホッパに収納し直し、再度計数動作をして、真券を選別する作業を行わなければならず、作業効率が非常に悪かった。
【０００５】
この発明は、上述した課題を解決するためになされたもので、金種や真贋が曖昧な紙幣を還流して再識別を行うことで、計数作業の効率の向上を図った紙幣計数機を提供することを目的とする。
【課題を解決するための手段】
【０００６】
上記課題を解決するために、請求項１の発明は、複数の紙幣を装填するためのホッパと、ホッパに装填された紙幣を１枚ずつ分離して送り出すための分離部と、分離部から送り出された紙幣を保持し、上流側から下流側に向かって搬送するための搬送部と、搬送部の上流側に配設され、搬送されてきた紙幣が所望券であるか否かを識別するための識別部と、搬送部の下流側に紙幣の搬送方向に沿って並設された所望券集積用のポケット及び不用券集積用のリジェクトポケットと、搬送部と所望券集積用のポケットとの間、及び搬送部と不用券集積用のリジェクトポケットの間にそれぞれ配設され、送り込まれた紙幣を所望券集積用のポケット，不用券集積用のリジェクトポケットにそれぞれ案内する複数のガイド部と、各ガイド部の入り口側近傍に、搬送部の搬送路に対して開閉自在にそれぞれ配設され、閉時に、搬送部の搬送路を遮って、紙幣を各ガイド部側に送り出す複数のゲート部と、識別部が、紙幣が所望券であるとの識別結果を得た場合に、所望券集積用のポケットに案内するガイド部の入り口側近傍に配設されたゲート部のみを閉状態にして、紙幣をポケットに集積させ、また、識別部が、紙幣が所望券でないとの識別結果を得た場合に、不用券集積用のリジェクトポケットに案内するガイド部の入り口側近傍に配設されたゲート部のみを閉状態にして、紙幣をリジェクトポケットに集積させる制御部とを備える紙幣計数機であって、搬送部の最下流に達した紙幣を、搬送部の上流に戻す還流部を設け、制御部に、識別部が、紙幣が所望券であるか否かの識別結果を得られない場合に、分離部の動作を停止させると共に、複数のゲート部の全てを開状態にさせて紙幣が通る搬送部の搬送路を開放することにより、紙幣を還流部に送り込む還流機能を持たせた構成とする。
かかる構成により、紙幣をホッパに装填して、分離部を作動させると、ホッパ内の紙幣が１枚ずつ分離されて、搬送部に送り出される。そして、当該紙幣は、搬送部によって、保持され、上流側から下流側に向かって搬送される。かかる搬送時において、紙幣が識別部によって、所望券であるか否かが識別される。
そして、識別部によって、その紙幣が所望券であるとの識別結果が得られると、制御部が、所望券集積用のポケットに案内するガイド部の入り口側近傍に配設されたゲート部のみを閉状態にして、紙幣をポケットに集積させる。逆に、識別部によって、紙幣が所望券でないとの識別結果が得られると、制御部が、不用券集積用のリジェクトポケットに案内するガイド部の入り口側近傍に配設されたゲート部のみを閉状態にして、紙幣をリジェクトポケットに集積させる。
ところで、汚れや傷が付いた紙幣や、機器の停止によって機器内部に取り残され、機器の再始動によって再搬送される紙幣である場合には、この紙幣が所望券であるか否かを正確に識別部で識別することができず、真券であるにも拘わらず、リジェクトポケットに集積されてしまうおそれがある。
しかし、この発明の紙幣計数機では、還流部を設け、制御部に還流機能を持たせているので、識別部で所望券であるか否かの識別結果を得られない紙幣が発生した場合には、分離部の動作が停止されると共に、複数のゲート部の全てが開状態にされ、当該紙幣が通る搬送部の搬送路が開放されるので、当該紙幣は、いずれのポケットにも集積されずに、搬送部の最下流に搬送される。そして、当該紙幣は、還流部によって、搬送部の上流に戻され、識別部によって再度識別され、正確な識別結果が得られる。
【０００７】
請求項２の発明は、請求項１に記載の紙幣計数機において、制御部の還流機能は、識別部において所望券であるか否かの識別結果を得られない同一の紙幣に対して、指定回数だけ搬送部の搬送路を開放した後、不用券集積用のリジェクトポケットに案内するガイド部の入り口側近傍に配設されたゲート部のみを閉状態にして、紙幣をリジェクトポケットに集積させる構成とした。
かかる構成により、識別結果が曖昧な紙幣に対して指定回数だけ再識別されるので、より正確な識別結果を得ることができる。
【０００８】
請求項３の発明は、請求項２に記載の紙幣計数機において、搬送部を、駆動無端ベルトと、この駆動無端ベルトの外側から当接して従動回転する従動無端ベルトと、駆動無端ベルトの部位であって且つ従動無端ベルトが非当接な部位に外側から所定間隔で接触配設された複数のローラとで構成し、駆動無端ベルトと従動無端ベルトとの当接部位を搬送部の上流側とすると共に非当接部位を下流側に設定して、分離部から送り出された紙幣を、これら駆動無端ベルトと従動無端ベルトとが当接した最上流位置で挟み込み、紙幣を駆動無端ベルトの回転方向に搬送するようにし、ポケットとガイド部とゲート部との組及びリジェクトポケットとガイド部とゲート部との組とを、搬送部の下流側に、搬送方向に沿って配設し、還流部を、最下流のゲート部より下流の駆動無端ベルトの部位と、部位の外側に平行に配設され且つ部位上の紙幣を搬送部の上流に案内するガイド板とで構成した。
かかる構成により、搬送部の駆動無端ベルトを作動させると、駆動無端ベルトに当接している従動無端ベルトが従動回転し、分離部から送り出された紙幣がこれら駆動無端ベルトと従動無端ベルトとに挟み込まれて、駆動無端ベルトの回転方向に搬送される。
そして、搬送中に、識別部によって、識別結果が得られた紙幣は、駆動無端ベルトの部位であって且つ従動無端ベルトが非当接な部位と、この部位に外側から所定間隔で接触配設された複数のローラとで成る下流側に搬送され、金種や真贋に応じて、所定のポケットやリジェクトポケットに集積される。
また、識別部で金種や真贋など識別結果が得られなかった紙幣が発生すると、下流側のゲート部が全て開状態にされ、当該紙幣が、最下流のゲート部より下流の駆動無端ベルトの部位に達する。すると、この紙幣は、当該部位とガイド板とで構成された還流部によって、搬送部の上流に案内され、識別部によって再度識別される。
【発明の効果】
【０００９】
以上詳しく説明したように、この発明の紙幣計数機によれば、所望券であるか否かの識別結果が得られない紙幣が発生した場合には、当該紙幣を、いずれのポケットにも集積させずに、還流部によって、搬送部の上流に戻し、識別部によって再度識別して、正確な識別結果を得ることができるので、従来の紙幣計数機のように、一度計数動作を行った後、ユーザがリジェクトポケット内の紙幣を取り出して、ホッパに収納し直し、再度計数動作をして、紙幣を再選別するという作業を行う必要がなく、この結果、作業効率の向上を図ることができるという優れた効果がある。
特に、請求項２の発明によれば、識別結果が曖昧な紙幣に対して指定回数だけ再識別するので、より正確な識別結果を得ることができるという効果を得ることができる。
【発明を実施するための最良の形態】
【００１０】
以下、この発明の最良の形態について図面を参照して説明する。
【実施例１】
【００１１】
図１は、この発明の一実施例に係る紙幣計数機の概略側断面図であり、図２は、紙幣計数機の内部を示す斜視図である。
【００１２】
図１に示すように、この実施例の紙幣計数機１は、卓上型の紙幣計数機であり、ホッパ２と分離部３と搬送部４と識別部５とポケット６−１〜６−４及びリジェクトポケット６−５と、ガイド部７−１〜７−５とゲート部としてのダイバータ８−１〜８−５と還流部９と制御部１０（図２参照）とを備えている。
【００１３】
ホッパ２は、複数の紙幣Ｐを装填するための部位であり、二点鎖線で示すケース１００の上位に設けられている。
分離部３は、ホッパ２に装填された紙幣Ｐを１枚ずつ分離して送り出すための部位であり、ホッパ２のシュート板２０の上下に配設された駆動ローラ３１と紙幣搬送方向に回転しないローラ３２と駆動するキックローラ３３とで構成されている。駆動ローラ３１の軸３１ａには、図２に示すように、駆動ローラ３１を回転させるためのモータ３４に連結されている。また、図２に示さないが、キックローラ３３の軸３３ａにもキックローラ３３を回転させるためのモータが連結されている。
【００１４】
搬送部４は、図１に示すように、分離部３から送り出された紙幣Ｐを保持し、上流側から下流側に向かって搬送するための部位であり、この実施例では、駆動無端ベルト４１と従動無端ベルト４２とローラ４３〜４７とで構成されている。
駆動無端ベルト４１は、駆動ローラ４１ａと３つの従動ローラ４１ｂ〜４１ｄとに巻き掛けられている。そして、図２に示すように、駆動ローラ４１ａの軸４１ａ′は、駆動ローラ４１ａを回転させるためのモータ４８に連結されており、駆動無端ベルト４１は、この駆動ローラ４１ａの駆動で時計回りに回転するようになっている。一方、従動無端ベルト４２は、図１に示すように、６つの従動ローラ４２ａ〜４２ｆに巻き掛けられた状態で、駆動無端ベルト４１の右外側に当接しており、駆動無端ベルト４１に従動回転するようになっている。この実施例では、駆動無端ベルト４１が従動無端ベルト４２に当接した部位を搬送部４の上流側搬送路に設定している。
また、ローラ４３〜４７は、従動無端ベルト４２が非当接な駆動無端ベルト４１の左側部位に接触配設され、ローラ４３〜４７の間隔は、紙幣Ｐの幅よりも狭く設定されている。この実施例では、駆動無端ベルト４１が従動無端ベルト４２に非当接な部位を搬送部４の下流側搬送路に設定している。
そして、駆動無端ベルト４１上には、従動ローラ４１ｅが設けられている。これにより、分離部３から送り出された紙幣Ｐを、駆動無端ベルト４１と従動ローラ４１ｅとで、最上流位置の駆動無端ベルト４１と従動無端ベルト４２との間に送り込こむことができる。そして、紙幣Ｐを、駆動無端ベルト４１と従動無端ベルト４２とで挟んで、上流側搬送路から下流側搬送路に搬送し、下流側搬送路に至った紙幣Ｐを、駆動無端ベルト４１とローラ４３〜４７とで挟んで、駆動無端ベルト４１と従動ローラ４１ｅとの間に戻すことができる。
【００１５】
識別部５は、搬送部４の上流側搬送路に配設され、搬送されてきた紙幣Ｐが所望券であるか否かを識別するための部位である。
具体的には、金種識別センサ５１と第１の真贋識別センサである磁気センサ５２と第２の真贋識別センサであるＵＶ（紫外線）センサ５３と位置センサ５４とが搬送部４の上流側に順次配設され、図２に示すように、各センサ５１〜５４の出力端が信号処理部５０に接続されている。
信号処理部５０は、ＣＰＵ等で構成されている周知の処理部であり、センサ５１〜５４からの信号に基づいて、紙幣Ｐの金種、真贋、位置を演算する部分である。
【００１６】
図１に示すように、ポケット６−１〜６−４とリジェクトポケット６−５は、搬送部４の下流側搬送路に沿って並設されている。具体的には、ポケット６−１〜６−４は、ケース１００の下位から上位に掛けて積層され、リジェクトポケット６−５が最上位に配置されている。
ポケット６−１〜６−４は、所望券集積用のポケットであり、例えば、ポケット６−１が所望券である５ユーロ紙幣、ポケット６−２が所望券である１０ユーロ紙幣、ポケット６−３が所望券である２０ユーロ紙幣、ポケット６−４が所望券である５０ユーロ紙幣を集積するためのポケットである。
一方、リジェクトポケット６−５は、不用券集積用のポケットであり、偽紙幣や上記金種以外の紙幣等の不用券を集積するためのポケットである。
【００１７】
各ガイド部７−１〜７−５は、各ポケット６−１〜６−５に向かう平行なガイド板７１，７２とガイド板７１，７２の上下に配設された１対のローラ７３，７４とで構成されており、送り込まれた紙幣Ｐを所望券集積用のポケット６−１〜６−４，不用券集積用のリジェクトポケット６−５にそれぞれ案内する。具体的には、ガイド部７−１は搬送部４とポケット６−１との間、ガイド部７−２は搬送部４とポケット６−２との間、ガイド部７−３は搬送部４とポケット６−３との間、ガイド部７−４は搬送部４とポケット６−４との間、ガイド部７−５は搬送部４とリジェクトポケット６−５との間にそれぞれ設けられている。
【００１８】
ダイバータ８−１〜８−５は、閉時に、搬送部４の下流側搬送路を遮って、紙幣Ｐをガイド部７−１〜７−５側に送り出す部材であり、図２に示すように、ダイバータ８−１〜８−５の各軸８１には、各ダイバータ８−１〜８−５を開閉させるロータリソレノイド８０が連結されている。
図３は、ダイバータの機能を示す部分拡大側断面図である。
図３に示すように、ダイバータ８−１（８−２〜８−５）は、ガイド部７−１（７−２〜７−５）の入り口側近傍、即ち、ガイド板７１，７２に右側開口の近傍に配設されている。これにより、実線で示すように、ダイバータ８−１（８−２〜８−５）が閉じて、搬送部４の搬送路を遮ることにより、紙幣Ｐをガイド部７−１（７−２〜７−５）側に送り出すことができる。そして、破線で示すように、ダイバータ８−１（８−２〜８−５）が開いて、搬送部４の搬送路を開放することによって、紙幣Ｐを搬送部４の更に下流側に搬送させることができる。
【００１９】
以上のように、この実施例では、ポケット６−１（６−２〜６−５）とガイド部７−１（７−２〜７−５）とダイバータ８−１（８−２〜８−５）とが組を成し、これらの組が、搬送部４の下流側に、搬送方向に沿って配設された構造になっている。
【００２０】
還流部９は、搬送部４の最下流に達した紙幣Ｐを、搬送部４の上流に戻すことが可能な部位である。
図４は、還流部の機能を示す部分拡大側断面図である。
図４に示すように、還流部９は、最下流のダイバータ８−５よりも下流の駆動無端ベルト４１の部位４１′と、この部位４１′の外側に平行に配設されたガイド板９０とで構成されている。かかる構成により、実線で示すように、ダイバータ８−１〜８−５が全て開いている状態において、紙幣Ｐがガイド板９０によって搬送部４の最上流側に案内されるようになっている。
【００２１】
制御部１０は、紙幣計数機１全体の動作を制御する部分であり、ＣＰＵ等で構成されている。
図２に示すように、駆動ローラ３１，４１ａを回転させるモータ３４，４８、ダイバータ８−１〜８−５を開閉させるロータリソレノイド８０は、ケース１００の図示しない側面に配設されている。そして、金種識別センサ５１，磁気センサ５２，ＵＶセンサ５３及び位置センサ５４の信号に基づいて金種、真贋などを識別する信号処理部５０も、かかる側面に配設されている。
制御部１０は、モータ３４，４８、ロータリソレノイド８０等を制御すると共に、、信号処理部５０からの識別結果に基づいて、所定の制御を行う部位であり、この制御部１０も、モータ３４等と同じく図示しないケース側面に配設されている。
【００２２】
図５は、この紙幣計数機１の動作フローチャート図である。
この実施例では、制御部１０は、図５において、ステップＳ１，Ｓ５，Ｓ１０〜Ｓ１３を実行する機能を有する。
具体的には、制御部１０は、紙幣計数機１の動作開始時に、分離部３を駆動させる機能を有する（図５のステップＳ１）。そして、識別部５が、紙幣Ｐが所望券であるとの識別結果を得た場合に、制御部１０は、ポケット６−１〜６−４のうち、その金種に該当するにポケット６−１（６−２〜６−４）のダイバータ８−１（８−２〜８−４）のみを閉状態にして、当該紙幣Ｐをポケット６−１（６−２〜６−４）に集積させる機能を有する（同図のステップＳ５）。また、識別部５が、紙幣Ｐが所望券でないとの識別結果を得た場合に、制御部１０は、リジェクトポケット６−５のダイバータ８−５のみを閉状態にして、紙幣Ｐをリジェクトポケット６−５に集積させる機能を有する（同図のステップＳ１１）。
さらに、制御部１０は、分離部３を通過した紙幣枚数とポケット６−１〜６−５への集積枚数とから、紙幣Ｐが搬送部４に存在するか否かを判断し、存在する場合には、存在する紙幣Ｐの分離部３を動作させずに、識別動作を行わせ、逆に存在しない場合には、分離部３を動作して、紙幣Ｐを搬送部４に取り込む機能を有する（同図のステップＳ１２）。なお、分離部３を通過した紙幣枚数は、金種識別センサ５１によって識別し、ポケット６−１〜６−５への集積枚数は、各ガイド部７−１〜７−５に設けられた図示しないセンサによって検出し、制御部１０は、これらのセンサからの信号を受けて、紙幣Ｐが搬送部４に存在するか否かを判断する。
【００２３】
また、制御部１０は、紙幣Ｐを再度搬送部４に還流させるための還流機能を有している。  すなわち、制御部１０は、識別部５が、紙幣Ｐが所望券であるか否かの識別することができない場合に、分離部３の動作を停止させる（図５のステップＳ１３）。そして、その識別不可能な紙幣Ｐが搬送部４を何回搬送されてきたか否かを判断し、指定回数以内（この実施例では「１回」以内）の場合には、全てのダイバータ８−１〜８−５を開放する機能を有する（同図のステップＳ１４，Ｓ１５）。逆に、指定回数を超えている場合には、ダイバータ８−１〜８−５のみを閉じて、当該識別不可能な紙幣Ｐをリジェクトポケット６−５に集積させる機能を有する（同図のステップＳ１１）。
【００２４】
次に、図５〜図７に基づいて、この実施例の紙幣計数機が示す作用及び効果について説明する。
図６は、紙幣の識別動作を説明するための概略側断面図であり、図７は、紙幣の還流動作を説明するための概略側断面図である。
図６に示すように、複数の紙幣Ｐをホッパ２に装填して、図示しない動作スイッチをオンにすると、制御部１０（図２参照）がモータ３４等を制御し、駆動ローラ３１及びキックローラ３３を回転させて、分離部３を駆動させると共に、モータ４８を回転させて、搬送部４を駆動させる。これにより、ホッパ２から分離された紙幣Ｐが駆動無端ベルト４１と従動ローラ４１ｅとの間に送り込まれ、搬送部４によって下流側に搬送される（図５のステップＳ１）。
【００２５】
そして、紙幣Ｐが、識別部５の金種識別センサ５１の前を通る際に、金種識別センサ５１が金種を検出して信号処理部５０（図２参照）に送信し、磁気センサ５２とＵＶセンサ５３を通る際に、磁気センサ５２とＵＶセンサ５３とが真贋を検出して信号処理部５０（図２参照）に送信する（図５のステップＳ２）。すると、信号処理部５０が、金種識別センサ５１，磁気センサ５２及びＵＶセンサ５３からの信号に基づいて、紙幣Ｐの金種や真贋の識別を試みる。そして、紙幣Ｐの金種や真贋の識別ができ、しかも、所定の金種であることを識別することができた場合には、その信号が制御部１０に送信される（図５のステップＳ３，Ｓ４）。これにより、制御部１０は、紙幣Ｐを所定のポケット６−１〜６−４に集積するように、搬送部４及びダイバータ８−１〜８−５を制御する。例えば、紙幣Ｐの金種が１０ユーロ紙幣であると識別されている場合には、駆動無端ベルト４１を所定距離回転させて、位置センサ５４の位置にある紙幣Ｐをポケット６−２のガイド部７−２の前まで搬送すると共に、ロータリソレノイド８０を駆動して、ダイバータ８−２のみを閉じさせる。これにより、１０ユーロ紙幣である紙幣Ｐが、ダイバータ８−２及びガイド部７−２に案内されて、ポケット６−２内に集積される（図５のステップＳ５）。
以後、同様の動作が繰り返され、ポケット６−１（６−２〜６−５）が満杯、即ち、紙幣Ｐが指定した枚数だけ、ポケット６−１（６−２〜６−５）に集積された場合には、分離部３と搬送部４とを停止して、ポケット６−１（６−２〜６−５）内の紙幣Ｐを取り出す（図５のステップＳ６〜Ｓ９）。そして、ホッパ２内に紙幣Ｐが残っている場合には、分離部３を駆動させて同様の識別動作を行い、紙幣Ｐがホッパ２内に残っていない場合には、紙幣計数機１を停止して、処理を終了する（図５のステップＳ１０）。
なお、この実施例では、図５のステップＳ６〜Ｓ１０迄の処理を手動で行うが、ホッパ２やポケット６−１〜６−５内にセンサを設けて、図５のステップＳ６〜ｓ８及びＳ１０の処理を自動で行うようにすることができることは勿論である。
【００２６】
また、識別部５で、紙幣Ｐの金種や真贋の識別を行うことができたが、所定の金種でない場合や偽紙幣の場合には、信号処理部５０は、その信号を制御部１０に送信する（図５のステップＳ４のＮＯ）。すると、制御部１０は、この紙幣Ｐをリジェクトポケット６−５に集積するように、搬送部４及びダイバータ８−５を閉じ、この紙幣Ｐをリジェクトポケット６−５に集積させる（図５のステップＳ１１）。
【００２７】
次に、還流動作について説明する。
図７に示すように、ホッパ２に装填された紙幣Ｐは、分離部３によって搬送部４に送り込まれ、識別部５の金種識別センサ５１，磁気センサ５２及びＵＶセンサ５３によって、金種や真贋が識別される。このとき、紙幣Ｐに汚れや傷が付いていたり、機器内に取り残されていた紙幣Ｐがある場合には、識別部５の信号処理部５０がこれらの紙幣Ｐを正確に識別することができない場合がある。かかる場合には、信号処理部５０から制御部１０に識別不能の信号が送出される（図５のステップＳ３のＮＯ）。このとき、当該紙幣Ｐに対する下流側への搬送回数は１回目であるので、制御部１０は、分離部３を停止させると共に、ロータリソレノイド８０を制御して、全てのダイバータ８−１〜８−５を開放状態にする（図５のステップＳ１３，Ｓ１４のＮＯ）。すると、図７に示すように、紙幣Ｐが全てのダイバータ８−１〜８−５の前を通り抜けて、還流部９の部位４１′に運ばれ、ガイド板９０に案内されて、搬送部４の最上流側に再度送り込まれる（図５のステップＳ１５）。
搬送部４に再度送り込まれた紙幣Ｐは、１回目の搬送時と同様に、識別部５によって識別され、識別可能の場合には、所定のポケット６−１〜６−５に集積される（図５のステップＳ１２のＮＯ，Ｓ２，Ｓ３のＹＥＳ及びＳ４）。
また、かかる再度の識別によっても、識別不可能の場合には、分離部３が停止されると共に、紙幣Ｐの搬送回数が判断される（図５のステップＳ３のＮＯ，Ｓ１３及びＳ１４）。そして、この紙幣Ｐの搬送回数は２回目であり、指定回数「１回」を越えているので、制御部１０は、ダイバータ８−５のみを閉じて、紙幣Ｐをリジェクトポケット６−５に集積させる（図１４のＮＯ，Ｓ１１）。
【００２８】
以上のように、この実施例の紙幣計数機１によれば、識別部５で一度識別不可能であると判断された紙幣Ｐを、還流部９を用いて、再度搬送部４に送り、再識別させるので、正確な識別結果を得ることが期待でき、この結果、作業効率の向上を図ることができると共に、識別特性の向上を図ることができる。
【００２９】
なお、この発明は、上記実施例に限定されるものではなく、発明の要旨の範囲内において種々の変形や変更が可能である。
例えば、上記実施例では、還流部９を駆動無端ベルト４１の部位４１′を利用し、この部位４１′の外側にガイド板９０を平行に配設した構成としたが、還流部の構成は、これに限定されるものではない。
例えば、図８に示すように、駆動ローラ９４と従動ローラ９５を設け、紙幣Ｐをこれらローラ９４，９５の間に案内するガイド板９０を設けて、還流部を構成することもできる。
【図面の簡単な説明】
【００３０】
【図１】この発明の一実施例に係る紙幣計数機の概略側断面図である。
【図２】紙幣計数機の内部を示す斜視図である。
【図３】ダイバータの機能を示す部分拡大側断面図である。
【図４】還流部の機能を示す部分拡大側断面図である。
【図５】この紙幣計数機の動作フローチャート図である。
【図６】紙幣の識別動作を説明するための概略側断面図である。
【図７】紙幣の還流動作を説明するための概略側断面図である。
【図８】還流部の各種変形例を示す部分拡大側断面図である。
【符号の説明】
【００３１】
１…紙幣計数機、  ２…ホッパ、  ３…分離部、  ４…搬送部、  ５…識別部、  ６−１〜６−４…ポケット、  ６−５…リジェクトポケット、  ７−１〜７−５…ガイド部、  ８−１〜８−５…ダイバータ、  ９…還流部、  １０…制御部、  ２０…シュート板、  ３１，４１ａ，９４…駆動ローラ、  ３１ａ，３３ａ，４１ａ，８１…軸、  ３２，４１ｂ〜４１ｅ，４２ａ〜４２ｆ，９５…従動ローラ、  ３４，４８，８０…モータ、  ４１…駆動無端ベルト、  ４１′…部位、  ４２…従動無端ベルト、  ４３〜４７，７３，７４，９２，９３，９４，９５…ローラ、  ５０…信号処理部、  ５１…金種識別センサ、  ５２…磁気センサ、  ５３…ＵＶセンサ、  ５４…位置センサ、  ７１，７２，９０…ガイド板、  ９１…ベルト、  １００…ケース、  Ｐ…紙幣。
【図１】
2009070252.tif 000003
【図２】
2009070252.tif 000004
【図３】
2009070252.tif 000005
【図４】
2009070252.tif 000006
【図５】
2009070252.tif 000007
【図６】
2009070252.tif 000008
【図７】
2009070252.tif 000009
【図８】
2009070252.tif 000010